(57)【特許請求の範囲】
【請求項１】
複数の端子がそれぞれ接続された電線ケーブルの複数の電線端末を筒状のカバー部材内に内包し、前記複数の端子を前記カバー部材の前方開口より突出させる電線端末内包工程と、
複数の端子収容部を画成する端子保持部材の仕切り壁を隣接する前記複数の端子間に端子前方から挿入すると共に、前記各端子収容部に設けられた係止アームにより前記端子を係止して前記端子保持部材に前記複数の端子を組付ける端子組付け工程と、
前記端子保持部材を前記カバー部材内に挿入して前記係止アームの係止解除方向の移動を規制する端子保持部材挿入工程と、
前記端子保持部材が挿入された前記カバー部材をコネクタハウジング内に装着するカバー部材装着工程と、
を含むことを特徴とするコネクタ組立方法。
【請求項２】
前記カバー部材が、軸方向に沿って二分割された分割体からなる
ことを特徴とする請求項１に記載のコネクタ組立方法。
【請求項３】
電線ケーブルの複数の電線端末にそれぞれ接続された複数の端子と、
複数の端子収容部を端子挿入方向に沿って画成する仕切り壁が隣接する前記複数の端子間に挿入された状態で、かつ、前記各端子収容部の係止アームが前記端子を係止した状態で、前記複数の端子が組付けられている端子保持部材と、
前記係止アームの係止解除方向の移動が規制された状態で前記端子保持部材が挿入されている筒状のカバー部材と、
前記端子保持部材を挿入した前記カバー部材が装着されているコネクタハウジングと、
を有することを特徴とするコネクタ。
【発明の詳細な説明】
【技術分野】
【０００１】
本発明は、コネクタハウジング内に複数の端子を備えたコネクタのコネクタ組立方法及びコネクタに関する。
【背景技術】
【０００２】
コネクタハウジングの内部に端子金具（端子）を収容する従来のコネクタは、コネクタハウジング内に端子収容室を形成し、その後方の挿入口から端子金具を挿入し、端子収容室内に設けた樹脂ランス（係止アーム）によって端子金具を正規挿入位置に保持する構造となっている。ところが、このような従来のコネクタでは、端子金具が正規挿入されたか否かを目視によって確認することができない。
そこで、端子金具の挿入工程でその挿入状態を目視により確認することができるように、端子金具を保持するホルダが着脱可能に設けられたコネクタとして、コネクタハウジングに挿通させた電線の端末の端子金具をホルダに組み付け、その後、電線を引っ張って、ホルダをコネクタハウジングに装着することで組み立てられるものが知られている（例えば、特許文献１参照）。
【先行技術文献】
【特許文献】
【０００３】
【特許文献１】特開平１０−３２１２８０号公報
【発明の概要】
【発明が解決しようとする課題】
【０００４】
ところで、上記特許文献１の構造のコネクタでは、ホルダをコネクタハウジングに装着する前に、コネクタハウジングに通した電線の端末の端子金具を、ホルダへ一つずつ組付けて保持させなければならず、作業性の改善が望まれる。特に、極数が多いため端子金具の数が多くなると、端子金具のホルダへの組付け作業に多大な手間を要する。
【０００５】
本発明は、上述した事情に鑑みてなされたものであり、その目的は、組付け作業性に優れたコネクタ組立方法及びコネクタを提供することにある。
【課題を解決するための手段】
【０００６】
前述した目的を達成するために、本発明に係るコネクタ組立方法は、下記（１）及び（２）を特徴としている。
（１）  複数の端子がそれぞれ接続された電線ケーブルの複数の電線端末を筒状のカバー部材内に内包し、前記複数の端子を前記カバー部材の前方開口より突出させる電線端末内包工程と、
複数の端子収容部を画成する端子保持部材の仕切り壁を隣接する前記複数の端子間に端子前方から挿入すると共に、前記各端子収容部に設けられた係止アームにより前記端子を係止して前記端子保持部材に前記複数の端子を組付ける端子組付け工程と、
前記端子保持部材を前記カバー部材内に挿入して前記係止アームの係止解除方向の移動を規制する端子保持部材挿入工程と、
前記端子保持部材が挿入された前記カバー部材をコネクタハウジング内に装着するカバー部材装着工程と、
を含むことを特徴とするコネクタ組立方法。
（２）  前記カバー部材が、軸方向に沿って二分割された分割体からなる
ことを特徴とする上記（１）に記載のコネクタ組立方法。
【０００７】
上記（１）の構成のコネクタ組立方法によれば、端子が接続された複数の電線端末を筒状のカバー部材内に内包して前方開口より複数の端子を突出させた状態で、端子保持部材の仕切り壁を隣接する複数の端子間に端子前方から挿入すると共に、各端子収容部の係止アームにより端子を係止することで、各端子収容部に複数の端子を一括して装着できる。そこで、端子の組付け作業性が向上する。
また、端子が端子収容部に中途嵌合した状態で、端子保持部材がカバー部材内に挿入されると、係止アームがカバー部材に当接して端子保持部材の挿入が阻止されるので、端子の中途嵌合を検知できる。
しかも、端子保持部材がカバー部材内に挿入された後は、カバー部材が係止アームの係止解除方向の移動を規制（二重係止）するので、端子を端子収容部に確実に保持できる。
上記（２）の構成のコネクタ組立方法では、カバー部材を分割体で構成することにより、電線ケーブルの複数の電線端末をカバー部材に挿通させる必要がなくなり、カバー部材内に複数の電線端末を内包する作業が容易となる。
【０００８】
また、本発明に係るコネクタは、下記（３）を特徴としている。
（３）  電線ケーブルの複数の電線端末にそれぞれ接続された複数の端子と、
複数の端子収容部を端子挿入方向に沿って画成する仕切り壁が隣接する前記複数の端子間に挿入された状態で、かつ、前記各端子収容部の係止アームが前記端子を係止した状態で、前記複数の端子が組付けられている端子保持部材と、
前記係止アームの係止解除方向の移動が規制された状態で前記端子保持部材が挿入されている筒状のカバー部材と、
前記端子保持部材を挿入した前記カバー部材が装着されているコネクタハウジングと、
を有することを特徴とするコネクタ。
【０００９】
上記（３）の構成のコネクタによれば、端子が接続された複数の電線端末を筒状のカバー部材内に内包して前方開口より複数の端子を突出させた状態で、端子保持部材の仕切り壁を隣接する複数の端子間に前方から挿入すると共に、各端子収容部の係止アームにより端子係止することができるので、各端子収容部に複数の端子を一括して装着できる。そこで、端子の組付け作業性が向上し、組立性の良好なコネクタを提供できる。
また、端子が端子収容部に中途嵌合した状態で、端子保持部材がカバー部材内に挿入されると、係止アームがカバー部材に当接して端子保持部材の挿入が阻止されるので、端子の中途嵌合を検知できる。
しかも、端子保持部材がカバー部材内に挿入された後は、カバー部材が係止アームの係止解除方向の移動を規制（二重係止）するので、端子を端子収容部に確実に保持できる。
【発明の効果】
【００１０】
本発明によれば、組付け作業性に優れたコネクタ組立方法及びコネクタを提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本発明の一実施形態に係るコネクタの分解斜視図である。
【図２】図２は、本発明の一実施形態に係るコネクタの縦断面図である。
【図３】図３は、図２に示したコネクタを構成する端子保持部材及びカバー部材の斜視図である。
【図４】図４は、電線ケーブルの電線への端子の接続の仕方を説明する図であって、図４の（ａ）〜（ｅ）は、それぞれ電線ケーブルの端部の平面図である。
【図５】図５は、本発明の一実施形態に係るコネクタ組立方法を説明する図であって、図５の（ａ）〜（ｂ）は、それぞれ組立途中のコネクタの斜視図である。
【図６】図６は、本発明の一実施形態に係るコネクタ組立方法を説明する図であって、図６の（ａ）〜（ｂ）は、それぞれ組立途中のコネクタの斜視図である。
【図７】図７は、変形例に係るコネクタ組立方法を説明する図であって、図７の（ａ）及び（ｂ）は、組立途中のコネクタの斜視図である。
【発明を実施するための形態】
【００１３】
以下、本発明に係る実施の形態の例を、図面を参照して説明する。
図１及び図２は、本発明の一実施形態に係るコネクタ１１の分解斜視図及び縦断面図である。図３は、コネクタ１１を構成する端子保持部材１５及びカバー部材１７の斜視図である。
【００１４】
本実施形態に係るコネクタ１１は、シールドケーブルからなる電線ケーブル２７の端部に接続されるシールドコネクタとして好適に用いることができる。
【００１５】
図１及び図２に示すように、本実施形態のコネクタ１１は、メス端子（端子）１３と、端子保持部材１５と、カバー部材１７と、シールドシェル１９と、コネクタハウジング２１と、パッキン２３と、リアホルダ２５と、を備えている。このコネクタ１１は、相手側コネクタ１０１に接合される。なお、本明細書中、コネクタハウジング２１の前方側（図２の右側）を前、電線ケーブル２７の後方側（図２の左側）を後として説明する。
【００１６】
電線ケーブル２７は、内部導体を被覆で覆った複数（本実施形態では４本）の電線３１を備えている。複数の電線３１は、シールド箔３２、編組３３及びシース部３５によって更に覆われて、電線ケーブル２７を構成する（図４、参照）。
【００１７】
図３に示すように、メス端子１３は、導電性の板金材を用いた板金加工により成形され、筒状の電気接触部４１と、電気接触部４１の後方に設けられた導体圧着部４３とを有している。
電気接触部４１は、一対の接触片４７を有する円筒状に形成されている。これら接触片４７は、先端へ向かって窄まるテーパ部４５を有しており、これらの接触片４７同士の間に円形の挿入孔４９が形成されている。挿入孔４９には、相手側コネクタ１０１に収容されたオス端子１０７のピン状に形成されたピン１０９が挿入される（図２、参照）。これにより、メス端子１３は、挿入孔４９に挿入されたオス端子１０７のピン１０９を接触片４７で挟持することで、オス端子１０７と電気的に接続される。
【００１８】
メス端子１３を電線ケーブル２７に接続するには、まず、図４（ａ）に示すように、電線ケーブル２７の端部において、シース部３５を剥がして編組３３を露出させる。次に、図４（ｂ）に示すように、編組３３を折り返してシース部３５に被せる。そして、図４（ｃ）に示すように、シールド箔３２を除去し、電線３１を露出させる。その後、図４（ｄ）に示すように、各電線３１の端部の被覆を剥がして内部導体を露出させる。そして、図４の（ｄ）に示すように、電線３１の端部に、メス端子１３の導体圧着部４３を加締める。このように、メス端子１３が電線ケーブル２７の各電線３１に電気的に接続される。なお、メス端子１３は、２本の電線３１に同時に圧着される。このとき、２本の電線３１が治具Ｇによって圧着に必要な間隔に広げた状態に保持される。
【００１９】
図３に示すように、端子保持部材１５は、合成樹脂材により形成されている。端子保持部材１５は、端面板部５１と、複数の仕切り壁５３と、複数（本実施形態では、４つ）の端子収容部５５とを有している。正面視における外形が矩形の端面板部５１は、端子保持部材１５の前端に設けられており、仕切り壁５３は、端面板部５１の後部に一体に形成されている。端子収容部５５は、端面板部５１の後方側におけるメス端子１３を収容する空間部分であり、仕切り壁５３によって仕切られて画成されている。端子収容部５５には、後方側からメス端子１３が挿入される。これにより、メス端子１３は、端子保持部材１５の端子収容部５５に収容される。仕切り壁５３は、断面十字状に形成されており、端子収容部５５をメス端子１３の挿入方向に沿って４つに画成する。仕切り壁５３の上下両側部には、側方へ突出する突起部５７が形成されている。端面板部５１には、端子収容部５５と連通する接続孔５９が形成されている。また、端面板部５１は、その左右両側部に、位置決め凸部６１を有している。
【００２０】
また、端子保持部材１５は、各端子収容部５５に、係止アーム６３と保持片６５とを有している。係止アーム６３及び保持片６５は、端面板部５１に一体に形成されており、それぞれ端子収容部５５に沿って後方へ延在されている。係止アーム６３には、その先端部に、内方へ突出する係止爪６７が形成されている。
【００２１】
この端子保持部材１５には、仕切り壁５３が隣接する複数のメス端子１３間に挿入された状態で、かつ、各端子収容部５５の係止アーム６３の係止爪６７がメス端子１３を係止した状態で、複数のメス端子１３が端子収容部５５に収容されて組み付けられる。
【００２２】
カバー部材１７は、合成樹脂材により角筒状に成形されている。このカバー部材１７には、その前方側から端子保持部材１５が挿入されている。このカバー部材１７に端子保持部材１５が挿入されることで、端子保持部材１５の係止アーム６３は、メス端子１３の電気接触部４１に対する係止解除方向の移動が規制された状態とされる。また、カバー部材１７の上下内壁には、仕切り壁５３に形成された突起部５７が係止される係止溝７１がそれぞれ形成されている。係止溝７１には、端子保持部材１５がカバー部材１７に挿入されることで、仕切り壁５３の突起部５７が係止され、これにより、カバー部材１７が端子保持部材１５に装着された状態に維持される。また、カバー部材１７には、その前端における両側部に、位置決め凹部７３が形成されている。
【００２３】
シールドシェル１９は、導電性の板金材を用いた板金加工により形成されている。シールドシェル１９は、端子保持部材１５が挿入されたカバー部材１７を覆う箱状のシールド部７５を有する。シールド部７５の後方には、電線ケーブル２７のシース部３５の端部に圧着固定されるバレル部７７が連設されている。メス端子１３を収容したカバー部材１７は、シールドシェル１９のシールド部７５に挿入され、電線ケーブル２７のシース部３５の端部に折り返された編組３３がバレル部７７に加締め固定される。これにより、メス端子１３を収容したカバー部材１７がシールドシェル１９のシールド部７５に覆われるとともに、編組３３がシールドシェル１９と電気的に接続される。また、シールドシェル１９のシールド部７５には、その後端側における両側面に、内方へ突出するカバー部材係止部７９が形成されている。このカバー部材係止部７９は、シールド部７５に挿入されるカバー部材１７の後端を係止し、カバー部材１７の後方への移動を規制する。
【００２４】
コネクタハウジング２１は、絶縁性の合成樹脂材により筒状に成形されている。コネクタハウジング２１の内方には、収容空間８１が形成されている。収容空間８１には、シールドシェル１９に覆われたカバー部材１７が挿入保持される。コネクタハウジング２１は、その先端部に、嵌合部８３を有しており、この嵌合部８３が、後述する相手側コネクタ１０１に嵌合される。また、コネクタハウジング２１には、その後端における両側部に、爪部８５が突設されている。また、コネクタハウジング２１には、その上部に、前方へ延在するロック片８７が設けられている。このロック片８７の先端近傍には、ロック穴８９が形成されている。
【００２５】
パッキン２３は、例えば、ゴム等の防水性材料から形成されている。このパッキン２３には、その中心に、電線ケーブル２７が通されるシール孔９１が形成されており、このシール孔９１に電線ケーブル２７を通すことで、シール孔９１の内周面が電線ケーブル２７の外周面に密着する。このパッキン２３は、コネクタハウジング２１の後端から、収容空間８１へ嵌め込まれる。これにより、コネクタハウジング２１の後端における電線ケーブル２７とコネクタハウジング２１の収容空間８１との間が液密にシールされる。
【００２６】
リアホルダ２５は、合成樹脂材により形成されている。リアホルダ２５には、その中心に、電線ケーブル２７が通される挿通孔９５が形成されている。また、このリアホルダ２５の両側には、係止部９７が形成されている。このリアホルダ２５は、パッキン２３を嵌め込んだコネクタハウジング２１の後端から装着される。このリアホルダ２５は、その両側の係止部９７がコネクタハウジング２１の爪部８５に係止され、コネクタハウジング２１の後端に固定される。これにより、コネクタハウジング２１の収容空間８１に嵌め込まれた端子保持部材１５、カバー部材１７、シールドシェル１９及びパッキン２３の収容空間８１からの抜け出しが防止される。
【００２７】
相手側コネクタ１０１は、合成樹脂材により形成され、装置等に固定される固定部１０３と、固定部１０３から外方へ延在する筒状のハウジング部１０５とを有している。ハウジング部１０５内には、コネクタ１１のメス端子１３と同数（本例では４つ）のオス端子１０７が収容されている。ハウジング部１０５は、その上部に、ロック爪１１１と、一対のガイドリブ１１３とを有している。ガイドリブ１１３は、ロック爪１１１の両側に配置され、ハウジング部１０５の前後方向に延在されている。
【００２８】
ハウジング部１０５には、コネクタ１１のコネクタハウジング２１に形成された嵌合部８３が嵌合される。これにより、コネクタ１１のメス端子１３に相手側コネクタ１０１のオス端子１０７が接合されて互いに電気的に接続される。また、ハウジング部１０５にコネクタ１１の嵌合部８３を嵌合させると、ハウジング部１０５のロック爪１１１がロック片８７のロック穴８９に入り込む。これにより、コネクタ１１が相手側コネクタ１０１に嵌合された状態に維持される。また、ハウジング部１０５にコネクタ１１の嵌合部８３を嵌合させる際には、ハウジング部１０５のガイドリブ１１３によってロック片８７の両側部がガイドされる。これにより、ハウジング部１０５への嵌合部８３の嵌合が円滑に行える。
【００２９】
次に、上記したコネクタ１１の組み立て手順を説明する。
図５及び図６は、本実施形態に係るコネクタ組立方法を説明する図であって、図５の（ａ）から図６（ｂ）は、それぞれ組立途中のコネクタ１１の斜視図である。
【００３０】
（電線端末内包工程）
まず、複数のメス端子１３がそれぞれ接続された電線ケーブル２７の複数の電線３１の端末（電線端末）を筒状のカバー部材１７内に挿し込んで内包し、複数のメス端子１３をカバー部材１７の前方開口より突出させる（図３、参照）。
【００３１】
（端子組付け工程）
次に、図５（ａ）に示すように、メス端子１３の前方から端子保持部材１５を近づけ、端子保持部材１５の仕切り壁５３を、隣接する４つのメス端子１３間に前方から挿入する。さらに、端子保持部材１５をメス端子１３へ近付けることで、図５（ｂ）に示すように、端子保持部材１５の各端子収容部５５にメス端子１３が挿入され、端子収容部５５に設けられた係止アーム６３の係止爪６７がメス端子１３の電気接触部４１の後端を係止し、４つのメス端子１３が端子保持部材１５に組付けられる。このとき、メス端子１３は、多少の位置ずれがあっても、先端のテーパ部４５が端子保持部材１５の各端子収容部５５へガイドされて導かれる。このとき、係止アーム６３は、係止爪６７がメス端子１３のテーパ部４５と接触することで一旦外方へ押し出されて弾性変形し、その後、電気接触部４１の後方へ到達することで、元の位置に復元することとなる。また、メス端子１３は、端子収容部５５へ挿し込まれる際に、保持片６５によって側方への移動が規制されて端子収容部５５へガイドされる。
【００３２】
（端子保持部材挿入工程）
次に、図６（ａ）に示すように、メス端子１３が端子収容部５５に収容された端子保持部材１５をカバー部材１７内に挿入する。そして、カバー部材１７の係止溝７１の段部に端子保持部材１５の突起部５７を係止させる。これにより、カバー部材１７は、端子保持部材１５に組付けられた状態に維持される。このようにすると、係止アーム６３は、カバー部材１７によってメス端子１３に対する係止爪６７の係止を解除する係止解除方向である外側への移動が規制されることとなる。したがって、メス端子１３は、係止解除方向への移動が規制された係止アーム６３によって確実に係止された状態に維持される。また、このとき、メス端子１３に接続されている電線３１は、カバー部材１７によって内側へ押し込まれた状態とされる。したがって、電線３１は、メス端子１３を圧着接続する際に治具Ｇによって広げられて外側へ膨出していたとしても、端子保持部材１５をカバー部材１７に挿入することで、外側への膨出が矯正される。また、電線３１がカバー部材１７によって内側へ押し込まれても、電線３１が内側の仕切り壁５３によって内側への移動が規制される。これにより、メス端子１３に接続された電線３１は、カバー部材１７と仕切り壁５３とで直線状に延ばされることとなり、よって、メス端子１３の先端が端面板部５１の接続孔５９に対して高精度に位置決めされる。また、カバー部材１７に端子保持部材１５が挿入されると、端子保持部材１５の端面板部５１の位置決め凸部６１がカバー部材１７の位置決め凹部７３に嵌合する。これにより、カバー部材１７に対して端子保持部材１５が位置決めされた状態に挿入され、カバー部材１７に対する端子保持部材１５の誤挿入が防止される。
【００３３】
（シールドシェル装着工程）
図６の（ｂ）に示すように、端子保持部材１５が挿入されたカバー部材１７が、シールドシェル１９のシールド部７５に嵌め込まれ、編組３３が折り返された電線ケーブル２７のシース部３５にバレル部７７が加締められて圧着固定される。このようにすると、カバー部材１７がシールドシェル１９のシールド部７５に覆われるとともに、シース部３５の端部に折り返された編組３３がシールドシェル１９と電気的に接続される。また、カバー部材１７にシールドシェル１９が装着された状態で、カバー部材１７の後端部がシールド部７５の両側部に形成されたカバー部材係止部７９に係止される。
【００３４】
（カバー部材装着工程）
その後、シールドシェル１９が装着されたカバー部材１７をコネクタハウジング２１の収容空間８１内へ後端側から挿入する。そして、コネクタハウジング２１の収容空間８１内にパッキン２３を嵌め込み、さらに、コネクタハウジング２１の後端にリアホルダ２５を固定する。
【００３５】
以上、説明したように、本実施形態に係るコネクタ組立方法及びそれによって組み立てられたコネクタ１１によれば、メス端子１３が接続された４本の電線３１の端末を筒状のカバー部材１７内に内包して前方開口より４つのメス端子１３を突出させた状態で、端子保持部材１５の仕切り壁５３を隣接する４つのメス端子１３間に前方から挿入すると共に、各端子収容部５５の係止アーム６３によりメス端子１３を係止することで、各端子収容部５５に４つのメス端子１３を一括して装着できる。そこで、メス端子１３の組付け作業性が向上する。
【００３６】
また、メス端子１３が端子収容部５５に中途嵌合した状態で、端子保持部材１５がカバー部材１７内に挿入されると、外側へ弾性変形している係止アーム６３がカバー部材１７に当接して端子保持部材１５の挿入が阻止されるので、メス端子１３の中途嵌合を検知できる。
【００３７】
しかも、端子保持部材１５がカバー部材１７内に挿入された後は、カバー部材１７が係止アーム６３の係止解除方向の移動を規制（二重係止）するので、メス端子１３を端子収容部５５に確実に保持できる。これにより、例えば、電線ケーブル２７に引張力が作用しても、端子保持部材１５の係止アーム６３によるメス端子１３の係止状態を確実に維持させることができる。
【００３８】
（変形例）
次に、変形例に係るコネクタ組立方法について説明する。
図７は、変形例に係るコネクタ組立方法を説明する図であって、図７の（ａ）及び（ｂ）は、組立途中のコネクタの斜視図である。
【００３９】
この変形例に係るコネクタ組立方法では、図７の（ａ）に示すように、上記カバー部材１７に代えて、軸方向に沿って二分割された分割体１２１からなるカバー部材１２３を用いる。分割体１２１は、一側部が薄肉のヒンジ１２５で回動可能に連結されている。また、分割体１２１は、それぞれの他側部に、互いに係合可能な係合部１２７ａ，１２７ｂを有している。さらに、分割体１２１には、端子保持部材１５の突起部５７を係止可能な係止穴１２９が形成されている。
【００４０】
この変形例では、端子保持部材挿入工程において、電線ケーブル２７の端部を覆うように、カバー部材１２３の分割体１２１をヒンジ１２５で回動させ、分割体１２１の係合部１２７ａ，１２７ｂ同士を互いに係合させる。このようにすると、図７の（ｂ）に示すように、電線ケーブル２７に筒状のカバー部材１２３が装着された状態となる。
この状態から、メス端子１３を端子収容部５５に収容した端子保持部材１５がカバー部材１２３内に挿入される。そして、カバー部材１２３の係止穴１２９に端子保持部材１５の突起部５７を係止させる。
【００４１】
このように、変形例に係るコネクタ組立方法では、カバー部材１２３が分割体１２１で構成されることにより、電線ケーブル２７の複数の電線３１の端末をカバー部材１２３に挿通させる必要がなくなり、カバー部材１２３内に複数の電線３１の端末を内包する作業が容易となる。
【００４２】
なお、上記の変形例では、ヒンジ１２５で回動可能に連結された二つの分割体１２１からなるカバー部材１２３を用いたが、カバー部材としては、係合機構によって着脱自在とされた別体の二つの分割体１２１からなるものでも良い。
【００４３】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４４】
例えば、上記実施形態では、相手側コネクタ１０１のオス端子１０７が接続されるメス端子１３を備えた場合を例示したが、コネクタ１１としては、オス端子を備えたものでも良い。
なお、カバー部材１７，１２３としては、角筒状のものに限らず、円筒状のものでも良い。この場合、カバー部材１７，１２３に挿入される端子保持部材の端面板部は、正面視における外形が円形となる。
また、上記実施形態では、シールドケーブルからなる電線ケーブル２７の編組３３と電気的に接続されるシールドシェル１９を備えたシールドコネクタとしてコネクタ１１を例示したが、本発明は、シールドシェル１９を備えないコネクタに対しても適用可能である。
【００４５】
ここで、上述した本発明に係るコネクタ組立方法及びコネクタの実施形態の特徴をそれぞれ以下［１］〜［３］に簡潔に纏めて列記する。
［１］  複数の端子（メス端子１３）がそれぞれ接続された電線ケーブル（２７）の複数の電線（３１）端末を筒状のカバー部材（１７）内に内包し、前記複数の端子を前記カバー部材の前方開口より突出させる電線端末内包工程と、
複数の端子収容部（５５）を画成する端子保持部材（１５）の仕切り壁（５３）を隣接する前記複数の端子間に端子前方から挿入すると共に、前記各端子収容部に設けられた係止アーム（６３）により前記端子を係止して前記端子保持部材に前記複数の端子を組付ける端子組付け工程と、
前記端子保持部材を前記カバー部材内に挿入して前記係止アームの係止解除方向の移動を規制する端子保持部材挿入工程と、
前記端子保持部材が挿入された前記カバー部材をコネクタハウジング（２１）内に装着するカバー部材装着工程と、
を含むことを特徴とするコネクタ組立方法。
［２］  前記カバー部材（１２３）が、軸方向に沿って二分割された分割体（１２１）からなる
ことを特徴とする上記［１］に記載のコネクタ組立方法。
［３］  電線ケーブル（２７）の複数の電線（３１）端末にそれぞれ接続された複数の端子（メス端子１３）と、
複数の端子収容部（５５）を端子挿入方向に沿って画成する仕切り壁（５３）が隣接する前記複数の端子間に挿入された状態で、かつ、前記各端子収容部の係止アーム（６３）が前記端子を係止した状態で、前記複数の端子が組付けられている端子保持部材（１５）と、
前記係止アームの係止解除方向の移動が規制された状態で前記端子保持部材が挿入されている筒状のカバー部材（１７）と、
前記端子保持部材を挿入した前記カバー部材が装着されているコネクタハウジング（２１）と、
を有することを特徴とするコネクタ（１１）。
【符号の説明】
【００４６】
１１：コネクタ
１３：メス端子（端子）
１５：端子保持部材
１７：カバー部材
２１：コネクタハウジング
２７：電線ケーブル
３１：電線
５３：仕切り壁
５５：端子収容部
６３：係止アーム
【図１】
0006688670.tif 000002
【図２】
0006688670.tif 000003
【図３】
0006688670.tif 000004
【図４】
0006688670.tif 000005
【図５】
0006688670.tif 000006
【図６】
0006688670.tif 000007
【図７】
0006688670.tif 000008